(57)【要約】【課題】  中詰材として中詰用砂を使用し、この中詰用砂を水流によって充填させることにより、施工手間の軽減や施工時間の短縮といった施工性を向上できると共に、十分な充填可能距離及び充填量を得ることができる電力用鞘管内充填工法の提供。【解決手段】  地中に埋設した鞘管１内に電力管２を配管させると共に、この鞘管内の空隙１２に中詰材として中詰用砂Ｓを充填させるようにした電力用鞘管内充填工法であって、鞘管に勾配を持たせ、その鞘管の上端から水流に乗せて中詰用砂を鞘管内に流入させ、一方、鞘管の下端で水Ｗを排水させることにより鞘管内の空隙に中詰用砂を充填させていくようにした。【選択図】  図１
2010124639.tif 000002
【特許請求の範囲】
【請求項１】
地中に埋設した鞘管（１）内に電力管（２）を配管させると共に、この鞘管（１）内の空隙（１２）に中詰材として中詰用砂（Ｓ）を充填させるようにした電力用鞘管内充填工法であって、
鞘管（１）に勾配を持たせ、その鞘管（１）の上端から水流に乗せて中詰用砂（Ｓ）を鞘管（１０）内に流入させ、一方、鞘管（１）の下端で水（Ｗ）を排水させることにより鞘管（１）内の空隙（１２）に中詰用砂（Ｓ）を充填させていくようにした電力用鞘管内充填工法。
【請求項２】
請求項１記載の電力用鞘管内充填工法において、鞘管（１）内に上端から下端部まで延長して樋状シュート（４）を配設させ、この樋状シュート（４）内に上端から水（Ｗ）と中詰用砂（Ｓ）を供給させることにより水流に乗せて中詰用砂（Ｓ）を鞘管（１）内に流入させるようにした電力用鞘管内充填工法。
【請求項３】
請求項１又は２記載の電力用鞘管内充填工法において、鞘管（１）の下端にエジェクター（６）を配設させ、このエジェクター（６）により鞘管（１）の下端で水（Ｗ）を排水させるようにした電力用鞘管内充填工法。
【請求項４】
既設鞘管（１）に充填された既設中詰用砂（Ｓ）を既設鞘管（１）の下端から排出させ、その後、既設鞘管（１）内に新たな電力管（２）を施工配管させ、その後再び既設鞘管（１）の上端から水流に乗せて新たな中詰用砂（Ｓ）を既設鞘管（１０）内に流入させ、一方、既設鞘管（１）の下端で水（Ｗ）を排水させることにより既設鞘管（１）内の空隙（１２）に中詰用砂（Ｓ）を充填させていくようにした電力用鞘管内充填工法。
【発明の詳細な説明】
【技術分野】
【０００１】
本発明は、地中に埋設した鞘管内に電力管を配管させると共に、この鞘管内の空隙に中詰材として中詰用砂を充填させるようにした電力用鞘管内充填工法に関する。
【背景技術】
【０００２】
近年、内部に電力線（送電線や通信ケーブルを含む）を挿入配線させるようにした電力管の布設施工には、推進工法により地中に埋設させたヒューム管を鞘管として使用する電力用鞘管内充填工法が多く採用されている。
この電力用鞘管内充填工法は、鞘管内に電力管を配管させると共に、この鞘管内の空隙に中詰材を充填させ、この中詰材によって電力管を鞘管内で安定よく固定支持させるようにしたもので、その中詰材として砂、セメント、フライアッシュ等を使用することが従来から知られている（特許文献１、２参照）。
【特許文献１】特開２００１−１０７３５２号公報
【特許文献２】特開２００２−１５５５２７号公報
【発明の開示】
【発明が解決しようとする課題】
【０００３】
しかしながら、中詰材として砂（主に圭砂や海砂）を用いた場合、充填距離が短く、密実に充填することが困難なばかりか、狭隘な空間に人が入っていく必要があるため、苦渋作業が強いられるという問題があった。
【０００４】
なお、上記特許文献には、中詰材として石粉体を使用し、この石粉体を空気圧送管によって充填させる技術が記載されているが、中詰材として砂を使用し、この砂を水流によって充填させる構成の記載は全くなく、その構成において本発明とは全く異なる。
【０００５】
本発明は、上記課題を解決するためになされたもので、中詰材として中詰用砂を使用し、この中詰用砂を水流によって充填させることにより、施工手間の軽減や施工時間の短縮といった施工性を向上できると共に、十分な充填可能距離及び充填量を得ることができる電力用鞘管内充填工法を提供することを課題としている。
【課題を解決するための手段】
【０００６】
上記の課題を解決するため、本発明（請求項１）の電力用鞘管内充填工法は、
地中に埋設した鞘管（１）内に電力管（２）を配管させると共に、この鞘管（１）内の空隙（１２）に中詰材として中詰用砂（Ｓ）を充填させるようにした電力用鞘管内充填工法であって、
鞘管（１）に勾配を持たせ、その鞘管（１）の上端から水流に乗せて中詰用砂（Ｓ）を鞘管（１０）内に流入させ、一方、鞘管（１）の下端で水（Ｗ）を排水させることにより鞘管（１）内の空隙（１２）に中詰用砂（Ｓ）を充填させていく構成とした。
【０００７】
なお、本発明で、「充填」とは、鞘管内の空隙を隙なく密実状態に充填することを含むだけでなく、電力管を覆う状態まで充填していれば、鞘管内の上部に空隙が残っていたとしても、電力管を安定よく固定支持できるもので、このような空隙が残っている場合も本発明で言う「充填」に含むものである。
【０００８】
次に、本発明（請求項２）の電力用鞘管内充填工法は、
請求項１記載の電力用鞘管内充填工法において、鞘管（１）内に上端から下端部まで延長して樋状シュート（４）を配設させ、この樋状シュート（４）内に上端から水（Ｗ）と中詰用砂（Ｓ）を供給させることにより水流に乗せて中詰用砂（Ｓ）を鞘管（１）内に流入させる構成とした。
【０００９】
また、本発明（請求項３）の電力用鞘管内充填工法は、
請求項１又は２記載の電力用鞘管内充填工法において、鞘管（１）の下端にエジェクター（６）を配設させ、このエジェクター（６）により鞘管（１）の下端で水（Ｗ）を排水させる構成とした。
【００１０】
また、本発明（請求項４）の電力用鞘管内充填工法は、
既設鞘管（１）に充填された既設中詰用砂（Ｓ）を既設鞘管（１）の下端から排出させ、その後、既設鞘管（１）内に新たな電力管（２）を施工配管させ、その後再び既設鞘管（１）の上端から水流に乗せて新たな中詰用砂（Ｓ）を既設鞘管（１０）内に流入させ、一方、既設鞘管（１）の下端で水（Ｗ）を排水させることにより既設鞘管（１）内の空隙（１２）に中詰用砂（Ｓ）を充填させていく構成とした。
【発明の効果】
【００１１】
本発明（請求項１）は、中詰材として中詰用砂を用い、この中詰用砂を鞘管の上端から水流に乗せて鞘管内に流入させると共に、鞘管の下端で水を排水させる構成に特徴がある。
このように中詰用砂を水流により鞘管内の空隙に流入させるため、施工手間の軽減や施工時間の短縮といった施工性を向上できると共に、十分な充填可能距離及び充填量を得ることができる。
また、鞘管の下端で水を排水させるため、鞘管内に水が充満することは無く、中詰用砂のみを鞘管内に残して鞘管内の空隙に充填することができる。
なお、中詰用砂は水に濡れた湿潤状態で充填されるため、電力線の発熱を放散させる効果も生じる。
【００１２】
なお、中詰材として中詰用砂を用いた場合、砂は熱伝導性が高いため、電力管内に挿入配管した電力線の発熱を放散させることができ、熱がこもるのを防止できる。
また、従来から中詰材として使用されているセメント系中詰材（発泡モルタル、フライアッシュセメント、モルタル、普通コクンクリート等）とは異なり、固化時に発熱を伴わない。
このように中詰材として中詰用砂を用いると、熱の発生に対処できるので、電力管の変形といったトラブルがないし、また、セメント系中詰材では鞘管の内周面や電力管の外周面を傷付けることがあるが、このような傷付けがない。
【００１３】
水流に乗せて中詰用砂を鞘管内に流入させるための具体的方法として、鞘管内に上端から下端部まで延長して樋状シュートを配設させ、この樋状シュート内に上端から水と中詰用砂を供給させることにより水流に乗せて中詰用砂を鞘管内に流入させる工法がある（請求項２）。
鞘管の下端から水を排水させるための具体的方法として、鞘管の下端にエジェクターを配設させ、このエジェクターにより鞘管の下端から水を排水させる工法がある（請求項３）。
【００１４】
このように樋状シュートを用いることで、中詰用砂を水流に乗せて鞘管内に上端から下端まで流入させることができるし、エジェクターを用いることで鞘管の下端から水だけを確実に排水をさせることができる。
【００１５】
この場合、樋状シュート内を流れる水と中詰用砂は、樋状シュートの先端側から溢れ出して鞘管の下端部から中詰用砂が充填していき（一部、水と中詰用砂が樋状シュートの途中で溢れ出すことがある）、以後は鞘管の上端側に向けて次第に中詰用砂が充填していくため、途中でブリージングが発生することがなく、鞘管内に上端から下端までの全長に亘ってスムーズに充填させていくことができる。
【００１６】
また、電力線の数や線種を変更する必要が生じたような場合、電力管の入れ替え作業を行う必要があり、このとき、上記したように中詰材として中詰用砂を用いていると、既設鞘管内の電力線数の変更や電力線種の交換に際しての作業が容易になる。
即ち、中詰材が砂であるため、その流動性によって中詰材砂を既設鞘管の下端から容易に排出させることができる。
そして、中詰材砂を排出させた後、既設鞘管内に新たな電力管を施工配管させ、その後は上記した電力用鞘管内充填工法により再び既設鞘管の上端から水流に乗せて新たな中詰用砂を鞘管内に流入させ、一方、既設鞘管の下端で水を排水させることにより既設鞘管内の空隙に中詰用砂を充填させていくことにより、電力管の入れ替え作業を容易に行うことができる（請求項４）。
【発明を実施するための最良の形態】
【００１７】
図１は本発明の電力用鞘管内充填工法の施工例を示す全体図、図２は鞘管の内部を示すもので、管路と直交する方向の断面図、図３は鞘管の内部を示すもので、管路と平行方向の断面図、図４は鞘管の下端部を示すもので、管路と平行方向の断面図である。
【００１８】
本実施例の電力用鞘管内充填工法は、地上に開口した発進立坑９０から到達立坑９１までの間に上り勾配（実施例では１／１０勾配）でヒューム管を推進工法で埋設させ、このヒューム管を鞘管１として用いている。
【００１９】
図２及び図３で示すように、前記鞘管１の内部には、図示省略した電力線（送電線）を内部に挿通配線させる電力管２，２が鞘管１の延長方向に懸架状態で配管されている。
この場合、電力管２，２はその外周の上面及び下面が鞘管１の内部に挿入した支持フレーム３の下腕３０及び上腕３１により支持される状態で所定の間隔毎に懸架支持されている。
実施例では、２本の電力管２，２を配管しているが、１本の電力管でもよいし、３本以上の電力管でもよく、重量バランスが安定するように支持フレームに懸架支持する。
【００２０】
前記鞘管１の内部において、前記電力管２，２の上方で、鞘管１の中心よりも上方に位置して樋状シュート４が前記支持フレーム３によって懸架支持されている。
この樋状シュート４は、金属や合成樹脂を用いて断面略Ｕ字状の樋状に形成されたもので、前記鞘管１の内部に上端から下端部まで延長して配設されている。
この場合、樋状シュート４は、その上端部が鞘管１の上端口１０から到達立坑９１の内部に延出し、その下端が鞘管１の下端口１１よりも若干手前になるように配設されている。
【００２１】
図４に示すように、前記鞘管１の下端部は、その下端口１１がモルタル壁５０によって閉鎖されると共に、このモルタル壁５０を鞘管１の外部から支持するための鉄蓋５１が鞘管１の外周に固定した管口リング５２に固定されている。
前記モルタル壁５０及び鉄蓋５１は、取り外し可能に形成され、電力管２の入れ替え作業を行う際に、このモルタル壁５０及び鉄蓋５１を取り外して中詰材砂Ｓを既設鞘管１の下端から排出させることができるようになっている。
なお、図４において、符号９２で示すものは発進立坑９０の土留矢板であり、図示省略したが到達立坑９１にも同様に土留矢板が建て込まれている。
【００２２】
前記電力管２，２の下端は前記モルタル壁５０及び鉄蓋５１を貫通して発進立坑９０の内部に延長している。
また、前記鞘管１の下端部には、モルタル壁５０及び鉄蓋５１を貫通してエジェクター６が配設されている。
このエジェクター６は、ストレーナ６０を取り付けた吸水口６１を鞘管１内の底部に配置させ、排水口６２を発進立坑９０の内部に配設させ、図示省略したエアコンプレッサからの高圧空気を管内で噴射させて、この噴射に伴う負圧を利用して吸水口６１から水を吸い込み、排水口６２から排水させるように形成されている。
なお、前記排水口６２には排水を発進立坑９０内に導水するための排水ホース６３が接続されている。
また、実施例では、吸水口６１からの中詰用砂の吸い込みを防止するため、吸水口６１を覆うように鞘管１の下端底部にバラス６４（粒径４０ｍｍ程度）を盛り入れている。
【００２３】
本実施例の電力用鞘管内充填工法では、中詰用砂Ｓとして主に上下水道用ろ過砂（その他、鋳物用砂、ゴルフ場用砂、サッカー場や野球場等のフィールド砂等）として使用されている特殊砂を用いている。
この特殊砂の製品規格（商標「キュウケンサンドＳ・１１０」西戸崎興産株式会社製）を以下に示す。
有効径・・・・  １．１０ｍｍ±０．０５
均等係数・・・  １．４以下
最大径・・・・  ２．４０ｍｍ以上２．０％以内
１．０５ｍｍ以下１０．０％以内
最小径・・・・  ０．９０ｍｍ以下２．０％以内
密度（真比重）  ２．５７〜２．６７
洗浄濁度・・・  ２０度以下
強熱原料・・・  ０．５％以下
塩酸可溶率・・  １．０％以下
摩減率・・・・  １．０％以下
【００２４】
この特殊砂は、主に、河砂、丘砂、吹き上げ砂を使用し、これをホッパーに投入して粗ゴミ、木くず、石、粘度等の異物を選別除去したのち、第１トロンメル（回転式篩い機）等を用いて粗目砂をカットし、次に、エーキンス（回転式もみ洗い搬送機）により第２トロンメル（回転式篩い機）に搬送して細目砂をカットする。この粗目砂カットと細目砂カットを１回又は複数回繰り返して所定規格の特殊砂に製造させるようにしている。
このような特殊砂は、異物が除去され、かつ粗目砂及び細目砂がカットされたもので、水流に乗った流動性が非常に優れており、本発明工法に好適に使用することができる。
【００２５】
ただ、本発明では、中詰用砂Ｓとしては前記特殊砂に限らず、通常砂（河砂、海砂、砕石砂等）を使用することも可能であり、これは、中詰用砂を鞘管内に流入させる手段として水流を利用したからこそ可能になるものである。
【００２６】
次に、中詰用砂Ｓの充填方法は、図１に示すように、樋状シュート４の上端部に、供給ホッパー７０を介して給水車７１から水Ｗを供給させると共にダンプトラック７２から中詰用砂Ｓを供給させることで、鞘管１の上端から水流に乗せて中詰用砂Ｓを鞘管１内に流入させ、一方、鞘管１の下端でエジェクター６により水Ｗを排水させることにより鞘管１内の空隙１２に中詰用砂Ｓを充填させていくものである。
【００２７】
この場合、エジェクター６から排水された水Ｗは、発進立坑９０の内部に貯留していくもので、この貯留した水Ｗを揚水管７３を介してポンプアップし、地上の水タンク７４内に貯水させる。そして、前記給水により空になった給水車７１を水タンク７４の位置に移動させ、ここで水タンク７４から給水車７１に水を補給させて、再び給水場所（到達立坑９１）まで移動させる給水車循環方式を採用している。
【００２８】
以上のように、実施例の電力用鞘管内充填工法では、中詰材として中詰用砂Ｓを用い、この中詰用砂Ｓを水流によって鞘管１の空隙１２に充填させる点に特徴がある。
これにより、施工手間の軽減や施工時間の短縮といった施工性を向上できると共に、十分な充填可能距離及び充填量を得ることができる。
【００２９】
また、電力線の数や線種を変更する必要が生じたような場合、既設鞘管１の下端部に設けた前記モルタル壁５０及び鉄蓋５１を取り外して中詰材砂Ｓを既設鞘管１の下端から排出させる。
このとき、中詰材が砂であるため、その流動性によって中詰材砂Ｓを既設鞘管１の下端から容易に排出させることができる。
そして、中詰材砂Ｓを排出させた後は既設鞘管１内に新たな電力管２を施工配管させ、その後、上記した電力用鞘管内充填工法により再び既設鞘管１の上端から水流に乗せて新たな中詰用砂Ｓを鞘管１内に流入させ、一方、既設鞘管１の下端で水を排水させることにより既設鞘管１内の空隙１２に中詰用砂Ｓを充填させていくことにより、電力管２の入れ替え作業を容易に行うことができる。
【図面の簡単な説明】
【００３０】
【図１】本発明の電力用鞘管内充填工法の施工例を示す全体図
【図２】鞘管の内部を示すもので、管路と直交する方向の断面図
【図３】鞘管の内部を示すもので、管路と平行方向の断面図
【図４】鞘管の下端部を示すもので、管路と平行方向の断面図
【符号の説明】
【００３１】
１  鞘管
１０  上端口
１１  下端口
１２  空隙
２  電力管
３  支持フレーム
３０  下腕
３１  上腕
４  樋状シュート
５０  モルタル壁
５１  鉄蓋
５２  管口リング
６  エジェクター
６０  ストレーナ
６１  吸水口
６２  排水口
６３  排水ホース
６４  バラス
７０  供給ホッパー
７１  給水車
７２  ダンプトラック
７３  揚水管
７４  水タンク
９０  発進立坑
９１  到達立坑
９２  土留矢板
Ｓ  中詰用砂
Ｗ  水
【図１】
2010124639.tif 000003
【図２】
2010124639.tif 000004
【図３】
2010124639.tif 000005
【図４】
2010124639.tif 000006